(57)【要約】【課題】蓋板の閉止時に、容器の高さや上部形状に合わせて容器の上部を嵌挿可能な開口を形成する抑え部材を備えることにより、寸法・形状が異なる複数の容器を安定的に収納可能な容器用包装箱の提供。【解決手段】１枚のシート状の素材より箱体に形成された容器用包装箱であって、周壁には蓋部が連設され、該蓋部の先端には蓋部側から順次折り曲げ可能に連設された第一片部、第二片部、第三片部からなる抑え部材が延設され、該第三片部は前記蓋部が連設された周壁の裏側に固定され、前記蓋部を閉じたときに前記第二片部が前記蓋部との間に空間を有する箱内天井を形成し、さらに、前記第二片部には包装箱内に収納される製品容器の上部を嵌挿可能な開口を形成する一組の開閉部が設けられている容器用包装箱。【選択図】  図１
2014213882.tif 000002
【特許請求の範囲】
【請求項１】
１枚のシート状の素材より箱体に形成された容器用包装箱であって、周壁には蓋部が連設され、該蓋部の先端には蓋部側から順次折り曲げ可能に連設された第一片部、第二片部、第三片部からなる抑え部材が延設され、該第三片部は前記蓋部が連設された周壁の裏側に固定され、前記蓋部を閉じたときに前記第二片部が前記蓋部との間に空間を有する箱内天井を形成し、さらに、前記第二片部には包装箱内に収納される製品容器の上部を嵌挿可能な開口を形成する一組の開閉部が設けられている容器用包装箱。
【請求項２】
前記一組の開閉部は、互いの先端部が破断可能に連設され、該易破断部を破断することにより開閉可能に形成されていることを特徴とする請求項１に記載の容器用包装箱。
【請求項３】
前記易破断部は前記第二片部の左右いずれかの端部より垂直方向に延伸して形成され、該易破断部の両側には一対の折線が並行して形成され、該易破断部と該折線の先端を結ぶように切り込みが形成されていることを特徴とする請求項１または請求項２に記載の容器用包装箱。
【請求項４】
前記易破断部は前記第二片部の中央よりもやや前記第一片部寄りに形成されていることを特徴とする請求項１ないし請求項３のいずれか１項に記載の容器用包装箱。
【請求項５】
前記一組の開閉部の一方の基端部が、前記第二片部と前記第一片部の連設部である折線であることを特徴とする請求項１または請求項２に記載の容器用包装箱。
【請求項６】
前記易破断部は前記第二片部の左右いずれかの端部より垂直方向に形成され、該易破断部と並行して前記第三片部側に１本の折線が形成され、該易破断部と該折線の先端を結ぶように切り込みが形成されるとともに、易破断部から第二片部と第一片部との連設部である折線まで達する２本の切り込み線が形成されていることを特徴とする請求項５に記載の容器用包装箱。
【発明の詳細な説明】
【技術分野】
【０００１】
本発明は、化粧品等の製品を収納する容器用包装箱に関し、更に詳細には、１枚のシート素材より一体的に成形することができ、それぞれ異なる高さや形状を有する複数の容器を安定的に収納可能な容器用包装箱の構成に関するものである。
【背景技術】
【０００２】
従来、種類の異なる化粧料や食品等の製品を複数組み合わせたものを、いわゆるお試しセットやトラベラーズセット、ギフトセット等として提供することが一般的に行われているが、種類の異なる製品は、それぞれの種類や目的・用途の違いにより、当然ながらその性質（液状・クリーム状・ジェル状・固形状等）や内容量も異なり、したがって、容器の寸法・形状もまちまちであることが多い。
【０００３】
一般的には、このように寸法・形状の異なる複数の容器をひとつの包装箱に収納する場合、包装箱内で製品容器がガタつかないように、緩衝材を隙間に詰めたり、あるいは、容器を押さえるための専用の固定部材を別途設けたりしていた。しかしながら、かかる容器の場合、緩衝材や固定部材の分だけコスト高となるうえ、廃棄する際のゴミが増えるなどの問題があった。
【０００４】
そこで、特許文献１には、包装箱の開口に折り込まれる折込片を有し、該折込片には商品の押さえをなす商品固定部が形成された商品包装箱が開示されている。また、特許文献２には、包装箱内へ互いに異なる高さに凸出して容器の上部に接する少なくとも２つの凸出面を備えた容器用包装箱が開示されている。
【０００５】
しかしながら、これらの包装箱の場合、予め収納される容器の寸法・形状に合わせて包装箱が形成されており、収納される予定の製品とは異なる寸法・形状のものを収納しようとした場合、容器の高さと容器上部の形状の違いによっては包装箱との間に隙間が生じたり、あるいは寸法的に収納できず、汎用性に欠けるという課題を有していた。
【０００６】
【特許文献１】特開平９−３２８１１９
【特許文献２】特開２００９−６２０７９
【発明の概要】
【発明が解決しようとする課題】
【０００７】
そこで本発明は、従来の容器用包装箱のかかる欠点を克服し、蓋板の閉止時に、容器の高さや上部形状に合わせて容器の上部を嵌挿可能な開口を形成する抑え部材を備えることにより、寸法・形状が異なる複数の容器を安定的に収納可能な容器用包装箱の提供をその課題とするものである。
【課題を解決するための手段】
【０００８】
本発明は、上記課題を解決するものであり、１枚のシート状の素材より箱体に形成された容器用包装箱であって、周壁には蓋部が連設され、該蓋部の先端には蓋部側から順次折り曲げ可能に連設された第一片部、第二片部、第三片部からなる抑え部材が延設され、該第三片部は前記蓋部が連設された周壁の裏側に固定され、前記蓋部を閉じたときに前記第二片部が前記蓋部との間に空間を有する箱内天井を形成し、さらに、前記第二片部には包装箱内に収納される製品容器の上部を嵌挿可能な開口を形成する一組の開閉部が設けられている容器用包装箱である。
【発明の効果】
【０００９】
本発明にかかる容器用包装箱は、蓋部を閉じたときに蓋部との間に空間を有する箱内天井を形成する抑え部材を備え、該抑え部材に製品容器の上部を嵌挿可能な開口を形成する一組の開閉部が設けられていることにより、高さや上部形状が異なる容器を確実に固定・保持することができ、物流段階での物品の振動やガタツキ等を防止することができる。
【００１０】
このように、異なる形状・寸法の容器を同一の包装箱にて包装することができるため、店頭では単一の包装箱を用意しておけばよく、また、商品を梱包する店員は同じ動作で簡易に包装作業を行うことができる。
【図面の簡単な説明】
【００１１】
【図１】本発明に係る容器用包装箱の展開図。
【図２】（ａ）本発明に係る容器用包装箱の蓋部を開いた状態での一部拡大断面図、（ｂ）本発明に係る容器用包装箱の蓋部を閉じる途中の状態での一部拡大断面図、（ｃ）本発明に係る容器用包装箱の蓋部を閉じた状態での一部拡大断面図
【図３】本発明に係る容器用包装箱で異なる実施態様の展開図。
【発明を実施するための形態】
【００１２】
以下、本発明の容器用包装箱の実施態様を、図面に基づいて具体的に説明する。なお、本発明はこれら実施態様に何ら制約されるものではない。
【００１３】
図１は本発明の容器用包装箱の展開図である。本発明の容器用包装箱は、１枚のシート状の素材より箱体に形成され、周壁のひとつを構成する前板１の上部には内蓋１１が折線１０１で折り曲げ可能に連接され、また、内蓋１１の先端には抑え部材１３が折線１１１で折り曲げ可能に連接されている。
【００１４】
抑え部材１３は、内蓋１１側から順次折り曲げ可能に連接された第一片部１３ａ、第二片部１３ｂ、および第三片部１３ｃにより構成され、内蓋１１を閉じた状態では、第二片部１３ｂが内蓋部１１との間に空間を有する箱内天井を形成する。かかる第二片部１３ｂには、互いの先端部が破断可能に連設された一組の開閉部１３ｄが形成されている。これら一組の開閉部１３ｄは、易破断部１３５を破断することにより開閉可能になり、包装箱内に収納される製品容器の上部を嵌挿可能な開口を第二片部１３ｂに形成する。
【００１５】
具体的には、第二片部１３ｂの左右いずれかの端部より垂直方向に延伸する１本の易破断部１３５が形成され、易破断部１３５と並行してその両側に一対の折線１３３が形成され、かかる易破断部１３４と折線１３３の先端を結ぶように切り込み線１３４が形成されている。こうして、折線１３３を基端部、易破断部１３５を先端部、切り込み線１３４および第二片部１３ｂの左右いずれかの端部を側端部とする一対の開閉部１３ｄが形成される。なお、本実施態様の開閉部１３ｄは第二片部１３ｂの長手方向に幅広に形成されており、幅広で且つ薄いチューブ容器の上部（シール側）を嵌挿するのに好適な開口を形成する。
【００１６】
易破断部１３５は、切り込み線に対し部分的に連接部を設けることにより、押圧で容易に破断できるように形成されている。そして、易破断部１３５が破断することにより、開閉部１３ｄの先端部が自由端となり、基端部の折線１３３を軸にして観音開きのように開閉可能となる。なお、本実施態様では、易破断部１３５は第二片部１３ｂの中央よりもやや第一片部１３ａ寄りに形成されている。このように第一片部１３ａ寄りに形成することで、製品容器を収納したときに容器を前板１寄りに保持し、窓部１０３を通して製品のラベル等がよりよく視認できるため好ましい。
【００１７】
図２（ａ）〜（ｃ）は、本発明の容器用包装箱の蓋部を開いた状態から閉じる状態までを表した、包装箱上部の拡大断面図である。図２（ａ）では、内蓋１１および外蓋２１はともに開いた状態となっており、かかる状態で、抑え部材１３は折線１１１から折り返されており、その一部が包装箱の開口内へ挿入された状態となっている。そして、この状態で抑え部材１３の第三片部１３ｃが前板１の裏側に接着固定されている。なお、第三片部１３ｃは前板１の当該部分に固定されればその固定方法は接着には限定されず、その他の固定方法でも良い。
【００１８】
図２（ｂ）は、本発明の容器用包装箱の内蓋１１を閉じる途中の状態を表す断面図である。図に示すように、第三片部１３ｃが前板１の裏側に固定されているため、内蓋１１を開口側に倒していくと、折線１３１で第一片部１３ａと第二片部１３ｂの連設部分が山折りされ、内蓋１１と第二片部１３ｂとの間に空間を形成する。
【００１９】
図２（ｃ）は、本発明の容器用包装箱の内蓋１１を完全に閉じた状態を表す断面図である。なお、この図では、製品容器が包装箱内に収納された状態を表している。図に示すように、内蓋１１を完全な閉状態にすると、第一片部１３ａは後板２の裏側に接し、第二片部１３ｂは内蓋１１との間に空間を有する箱内天井を形成する。そして、収納された容器上部（図の場合、チューブ容器のシール部側を上部とする）の先端は、第二片部１３ｂよりも上方に位置するため、内蓋１１を閉じる途中で容器上部の先端が易破断部１３５付近に当接し、そのまま内蓋１１の閉作業を継続することで易破断部１３５を押圧する。これにより、易破断部１３５は破断され、一対の開閉部１３ｄは開閉可能となるため、さらに内蓋１１を閉じることにより容器上部が開閉部１３ｄを押し開いて挿入される。このとき、開閉部１３ｄには元の位置に戻ろうとする復元力が働くため、第二片部１３ｂにより容器上部が挟持される形になる。これにより、容器上部は安定的に保持される。
【００２０】
なお、チューブ容器と並んで、開閉部１３ｄが形成されていない部分には、チューブ容器よりも高さが低く、且つ、第二片部１３ｂで形成される箱内天井よりも高さが低いその他の製品容器を収納することができる。そして、完全に蓋部を閉状態にするには、内蓋１１を閉めた後、左右のフラップ３１、４１を閉じて、その上から外蓋２１を閉じ、外蓋２１の先端に突設された係止片２１１を折線１０１に沿って形成された切り込み１０２内に差し込んで係止すればよい。
【００２１】
図３は、本発明の容器用包装箱の異なる態様である。本実施態様では、第二片部１３ｂに設けられた一組の開閉部１３ｅ、１３ｆは、互いに異なる寸法に形成されている。具体的には、第二片部１３ｂの左右一方の端部より垂直方向に延伸する１本の易破断部１３５が形成され、易破断部１３５と並行して第三片部１３ｃ側に１本の折線１３３が形成され、易破断部１３５と折線１３３の先端を結ぶように切り込み線１３４が形成されるとともに、易破断部１３５から折線１３１まで達する２本の切り込み線１３６が形成されている。これらの折線１３３、切り込み線１３４、易破断部１３５、および切り込み線１３６により、一組の開閉部１３ｅおよび開閉部１３ｆが形成されている。
【００２２】
かかる開閉部１３ｅは、折線１３３を軸に回動可能であるのに対し、開閉部１３ｆは折線１３１を軸に回動するため、先の実施態様のものより第二片部１３ｂの短手方向に間口の広い開口を形成することができる。このため、本実施態様のものは、上部にキャップ部を有するボトル容器等、上部が円柱形のものを嵌挿するのに好適である。
【００２３】
本発明の容器用包装箱は、一組の第二片部１３ｂにより容器上部が挟持されることで製品容器が包装箱内で振動したり、ガタついたりすることを防ぐことができるが、さらに、包装箱内に容器下部を保持可能な部材を設けてもよい。
【符号の説明】
【００２４】
１  …  …  前板
２  …  …  後板
３  …  …  側板
４  …  …  側板
１１  …  …  内蓋
１２  …  …  底板
１３  …  …  抑え部材
１３ａ  …  …  第一片部  
１３ｂ  …  …  第二片部
１３ｃ  …  …  第三片部    
１３ｄ  …  …  開閉部  
１３ｅ  …  …  開閉部
１３ｆ  …  …  開閉部
２１  …  …  外蓋
２２  …  …  底板
２３  …  …  接着部
３１  …  …  フラップ
３２  …  …  フラップ
４１  …  …  フラップ
４２  …  …  フラップ
１０１  …  …  折線
１０２  …  …  切り込み
１０３  …  …  窓部
１１１  …  …  折線
１１２  …  …  穴部
１３１  …  …  折線
１３２  …  …  折線
１３３  …  …  折線
１３４  …  …  切り込み
１３５  …  …  易破断部
１３６  …  …  切り込み
２０１  …  …  窓部
２１１  …  …  係止片
【図１】
2014213882.tif 000003
【図２】
2014213882.tif 000004
【図３】
2014213882.tif 000005